(57)【要約】【課題】表示装置の奥行きが小さい場合でも設置可能なスピーカ装置を得る。【解決手段】本発明のスピーカ装置２０は、スピーカ２１が矩形の振動板を有し、キャビネット２２がスピーカ２１を内蔵し、スピーカ２１からの音を放射するスリット状の放音孔２３を開口する開口面２４を有し、そしてキャビネット２２の開口面に対する奥行きの寸法が装着される薄型テレビ１の奥行きの寸法L１以下にするか、又はキャビネット２２の開口面２４の横幅の寸法L４が薄型テレビ１の奥行きの寸法L１から薄型テレビ１を構成するディスプレイ１０の奥行きの寸法L２を除いた寸法以下にする。【選択図】図１
2008167268.tif 000002
【特許請求の範囲】
【請求項１】
矩形の振動板を有するスピーカと、
上記スピーカを内蔵し、上記スピーカからの音を放射するスリット状の放音孔を開口する開口面を有するキャビネットとを備え、
上記キャビネットの開口面に対する奥行きの寸法が装着される表示装置の奥行きの寸法以下であること、又は上記キャビネットの開口面の横幅の寸法が上記表示装置の奥行きの寸法から上記表示装置を構成するディスプレイの奥行きの寸法を除いた寸法以下であることを特徴とするスピーカ装置。
【請求項２】
キャビネットの開口面が、表示装置の前面，側面，背面の少なくともいずれかの方向に向くように取り付けられることを特徴とする請求項１記載のスピーカ装置。
【請求項３】
スピーカとして、全面駆動型スピーカ，静電型スピーカ，圧電型スピーカの少なくともいずれか一つを用いることを特徴とする請求項１記載のスピーカ装置。
【発明の詳細な説明】
【技術分野】
【０００１】
この発明は、表示装置に取り付けてオーディオ信号の音声再生を行うスピーカ装置に関するものである。
【背景技術】
【０００２】
近年、奥行きのあるＣＲＴディスプレイを搭載するテレビ（表示装置）に代わって、液晶ディスプレイやプラズマディスプレイパネル（ＰＤＰ）を装備するテレビが普及し始めている。これらのディスプレイは、画面の大きさに比べ奥行きが小さく薄型の構造にできる。
このようなテレビの音声は、内蔵スピーカ又は外付けのスピーカで再生されることになるが、内蔵スピーカの場合はディスプレイとの相互位置関係により内蔵場所が決定される。薄型ディスプレイによりテレビ本体は薄型になるのでスピーカの内蔵場所の制約が大きくなり、奥行きは当然小さく、スペースの制約から縦と横の寸法も余裕を持って決められない。また、ディスプレイを納めた外装寸法(正面から見た寸法)も、できるだけ小さくすることが求められているのが現状である。
ＣＲＴディスプレイを内蔵する従来のテレビは、スピーカ装置を奥行き方向に配置するものがあり、例えば、特許文献１及び特許文献２に示すものがあった。特許文献１のスピーカ装置は、スピーカを２箇所に内蔵し、一方のスピーカは、フロントスピーカとしてコーン形スピーカを設置し、そこから出た音は前方に開口するホーン状の音道を経て導かれ、他方のスピーカは、上部スピーカとして上向きに開口する全方位性のコーン形スピーカであった。また、特許文献２のスピーカ装置は、テレビの両サイドにコーン形スピーカと扁平なホーン状音道で構成されていた。
【０００３】
【特許文献１】特開平６−２８４４８８号公報（段落００２０〜段落００２５）
【特許文献２】特開平６−３２６９４８号公報（段落００１０〜段落００１６）
【発明の開示】
【発明が解決しようとする課題】
【０００４】
従来のスピーカ装置は以上のように構成され、ディスプレイ前面の幅の狭い箇所から音を放射させる構造を採っているが、幅の狭い箇所から音を放射させるために、奥行き方向（または上下方向）に大きな寸法を確保しなければならない構造のものであり、更には、スピーカユニット自体が奥行きのあるコーン形スピーカを採用している。従って、従来のスピーカ装置は薄型テレビディスプレイに搭載することは困難、或いは、かなり制約が出ることになり、表示装置の奥行きが小さい場合にスピーカ装置を設置することができないという課題があった。
【０００５】
この発明は上記のような課題を解決するためになされたもので、表示装置の奥行きが小さい場合でも設置可能なスピーカ装置を得ることを目的とする。
【課題を解決するための手段】
【０００６】
この発明に係るスピーカ装置は、矩形の振動板を有するスピーカと、スピーカを内蔵し、スピーカからの音を放射するスリット状の放音孔を開口する開口面を有するキャビネットとを備え、キャビネットの開口面に対する奥行きの寸法が装着される表示装置の奥行きの寸法以下であること、又は上記キャビネットの開口面の横幅の寸法が上記表示装置の奥行きの寸法から表示装置を構成するディスプレイの奥行きの寸法を除いた寸法以下であるものである。
【発明の効果】
【０００７】
この発明によれば、表示装置の奥行きが小さい場合でも設置可能なスピーカ装置を得るができるという効果を奏する。
【発明を実施するための最良の形態】
【０００８】
以下、この発明の実施の一形態を説明する。
実施の形態１．
図１は、この発明の実施の形態１による薄型テレビの斜視図である。薄型テレビ１は、ディスプレイ１０と、スピーカ装置２０より構成される。スピーカ装置２０は、スピーカ２１と、スピーカ２１を収納するキャビネット２２と、キャビネット２２に穿孔された放音孔２３とにより構成され、放音孔２３が開口するキャビネット２２の面を開口面２４とする。また、図２はこの発明の実施の形態１による薄型テレビの水平断面図であり、スピーカ装置２０が駆動するために必要な増幅器３０を接続した状態を示し、薄型テレビ１の奥行きの寸法はＬ１であり、ディスプレイ１０の奥行きの寸法はＬ２である。図３はこの発明の実施の形態１によるスピーカ装置の斜視図であり、キャビネット２２の開口面２４に対する奥行きの寸法はＬ３であり、開口面２４の横幅の寸法はＬ４である。
【０００９】
ここでスピーカ２１は、矩形の振動板を有し、全面駆動型スピーカ、静電型スピーカ、圧電型スピーカ等の奥行きの小さな扁平なスピーカであり、スピーカ２１の厚さは１０ｍｍ程度であり、従来使用しているコーン形スピーカに比べて薄く、スピーカ全体の容積を小さくすることができる。
【００１０】
キャビネット２２は、スピーカ２１を内蔵し、スピーカ２１の音を放射するスリット状の放音孔２３を開口する開口面２４を有し、ディスプレイ１０の両サイドに取り付ける。例えば図1に示すように中央両サイドに取り付けることができ、また上辺両サイドや下辺両サイドにも取り付けることも可能である。キャビネット２２は、キャビネット２２の開口面２４に対する奥行きの寸法Ｌ３が装着される薄型テレビ１の奥行きの寸法Ｌ１以下であるか、又は開口面２４の横幅の寸法Ｌ４が装着される薄型テレビ１の奥行きの寸法Ｌ１からディスプレイ１０の奥行きの寸法Ｌ２を除いた寸法以下である。開口面２４と平行なキャビネット２２の断面形状は、長方体、円形、楕円形、多角形等どのような構造でも可能である。キャビネット２２の開口面２４は、薄型テレビ１の前面，側面，背面の少なくともいずれかの方向に向くように取り付けることができる。放音孔２３はキャビネット２２にある細長いスリット状の孔であり、スピーカ２１からの音が放射される。
【００１１】
図２に示すように、スピーカ２１をキャビネット２２内の側面２５又は側面２６に密着させれば、キャビネット２２自体の開口面２４の横幅の寸法L４を小さくすることができ、薄型テレビ１の両サイドに装着しても薄型テレビ１の横幅を大きくすることを抑えることができる。また、スピーカ２１の縦横比を自由に設定することにより、スピーカ２１は薄型テレビ１の奥行きの寸法L１やキャビネットの開口面に対する奥行きの寸法L３に合わせた構造にすることができる。
【００１２】
また、従来使用しているコーン形スピーカは、スピーカから出た音を放射するためにホーン状音道構造体を使用するため、ホーン内での音響共振などの影響で音圧特性が変動する場合があり、音質が劣化していたが、実施の形態１のスピーカ装置２０は、平面スピーカを使用するのでホーン状音道構造体使用しないので、音質の劣化はない。
【００１３】
以上のように、実施の形態１によれば、スピーカ装置２０は、矩形の振動板を有するスピーカ２１と、スピーカ２１を内蔵し、スピーカ２１からの音を放射するスリット状の放音孔２３を開口する開口面２４を有するキャビネット２２とを備え、キャビネット２２の開口面２４に対する奥行きの寸法L３が装着される薄型テレビ１の奥行きの寸法L１以下であること、又はキャビネット２２の開口面２４の横幅の寸法L４が薄型テレビ１の奥行きの寸法L１から薄型テレビ１を構成するディスプレイ１０の奥行きの寸法L２を除いた寸法以下であることにより、薄型テレビ１の奥行きの寸法L１が小さい場合でも設置可能なスピーカ装置２０を得ることができるという効果を奏する。
【００１４】
実施の形態２．
図４は、この発明の実施の形態２による薄型テレビの水平断面図である。
図４で示すように、実施の形態２では、実施の形態１と同様のスピーカ装置２０であるが、実施の形態１は開口面２４が薄型テレビ１の前面にあることに対し、実施の形態２では開口面２４が薄型テレビ１の側面にある。実施の形態２の開口面２４は、薄型テレビ１の側面であるが、放音孔２３がスリット状に細長く開口しているので、矩形開口でも寸法の小さいスリット幅方向には広い指向性となり、薄型テレビ１正面でも十分な音量が得られる。キャビネット２２の開口面２４の短辺は薄型テレビ１の奥行きと同じ方向であるので、キャビネット２２は薄型テレビ１の側端面から内側にずらして取り付けることができ、さらに、ディスプレイ１０の背面に近くに配置、或いは、密着させることができるので、キャビネット２２の取り付けの自由度が増す。
【００１５】
実施の形態１は放音孔２３が薄型テレビ１の前面に、実施の形態２は放音孔２３が薄型テレビ１の側面に開口しているが、例えば、実施の形態１のスピーカ装置２０の開口面２４を薄型テレビ１の背面側に向けることにより、スピーカ装置２０の放音孔２３が薄型テレビ１の背面に開口することも可能である。
【００１６】
実施の形態１及び２のスピーカ装置２０は、キャビネット２２に収納するスピーカ２１の前面から放射される音を利用しているが、スピーカ２１の裏面から放射される音に対しては、スピーカ２１裏面に小容積の密閉空室を構成して裏面から放射されない構造にするか、放射されても放音孔２３から出て行く音に影響を与えないキャビネット構造を用いて、薄型テレビ１外部や放音孔２３に及ぶ音を小さくなるようにすればよい。
【００１７】
以上のように、実施の形態２によれば、スピーカ装置２０は、キャビネット２２の開口面２４が、薄型テレビ１の前面，側面，背面の少なくともいずれかの方向に向くように取り付けられることにより、薄型テレビ１の奥行きの寸法L１が小さい場合でも設置可能なスピーカ装置２０を得ることができるという効果を奏する。
【図面の簡単な説明】
【００１８】
【図１】この発明の実施の形態１による薄型テレビの斜視図である。
【図２】この発明の実施の形態１による薄型テレビの水平断面図である。
【図３】この発明の実施の形態１によるスピーカ装置の斜視図である。
【図４】この発明の実施の形態２による薄型テレビの水平断面図である。
【符号の説明】
【００１９】
１  薄型テレビ、１０  ディスプレイ、２０  スピーカ装置、２１  スピーカ、２２  キャビネット、２３  放音孔、２４  開口面、２５，２６  側面、３０  増幅器、Ｌ１  薄型テレビの奥行きの寸法、Ｌ２  ディスプレイの奥行きの寸法、L３  キャビネットの開口面に対する奥行きの寸法、Ｌ４  開口面の横幅の寸法。
【図１】
2008167268.tif 000003
【図２】
2008167268.tif 000004
【図３】
2008167268.tif 000005
【図４】
2008167268.tif 000006